(57)【要約】【課題】簡単な構造で建物壁のスリーブ内への雨水の浸透を確実に防止することができる配管カバー装置を提供する。【解決手段】建物壁１の躯体を貫通する配管挿入用のスリーブ８と、このスリーブ８に対応して建物壁１の外壁面に取り付けられた配管カバーユニット１０とを備える。管体ａはスリーブ８内に挿入されて建物壁１の外壁面側に導出され、その導出部分が配管カバーユニット１０で覆われる。配管カバーユニット１０はスリーブ８内に差込みが可能な挿入筒１６を一体的に有する下カバー１１と、この下カバー１１の上に脱着可能に装着される上カバー１２とで構成され、下カバー１１が建物壁１の外壁面に取り付けられるとともに、挿入筒１６がスリーブ８内に差込まれ、かつその挿入筒１６とスリーブ８とが重なる差込み代Ｌの部分が接着剤により互いに接着される。【選択図】      図１
2008240834.tif 000002
【特許請求の範囲】
【請求項１】
建物壁の躯体を貫通する管体挿入用のスリーブと、このスリーブに対応して前記建物壁の外壁面に取り付けられ、前記スリーブに挿入されて前記建物壁の外壁面側に導出される管体を覆う配管カバーユニットとを備え、前記配管カバーユニットは前記スリーブ内に差込みが可能な挿入筒を一体的に有する下カバーと、この下カバーの上に脱着可能に装着される上カバーとで構成され、前記下カバーが前記建物壁の外壁面に取り付けられるとともに、前記挿入筒が前記スリーブ内に差込まれ、かつその挿入筒とスリーブとが重なる差込み代の部分が接着剤により互いに接着されることを特徴とする配管カバー装置。
【請求項２】
前記下カバーの挿入筒の開口部に装着してその開口部を密閉することが可能なキャップを備え、このキャップを前記配管カバーユニットの内部に収納して保管することが可能となっていることを特徴とする請求項１に記載の配管カバー装置。
【請求項３】
前記下カバーには、前記キャップの保管時にそのキャップを支持するためのフックが一体的に設けられていることを特徴とする請求項２に記載の配管カバー装置。
【発明の詳細な説明】
【技術分野】
【０００１】
この発明は、例えば家屋に設置する空気調和機の冷媒管などの管体を建物壁を貫通して配管する際に使用する配管カバー装置に関する。
【背景技術】
【０００２】
空気調和機の冷媒管などの管体を建物の室内と室外とに渡って配管する際には、建物壁にスリーブを貫通して据え付け、そのスリーブに管体を通して室内から室外に導出させ、その導出側の管体を配管カバー装置で覆うようにしている。このような配管カバー装置については、特開平５−７９５９６号公報（特許文献１）、特開平７−２８６７４２号公報（特許文献２）、特開２００３−２８６７４７公報（特許文献３）などに開示されている。
【０００３】
建物壁を貫通して管体を配管する際に問題となるのは、建物壁の躯体を貫通する管体挿入用のスリーブ内への雨水の浸透である。このため、特許文献１では建物壁を貫通するスリーブを室外側に向けて下り勾配とし、特許文献２ではスリーブの周縁に沿うように建物壁の外壁部に凹部を形成し、この凹部内にシーリング材を充填するようにし、また特許文献３では配管カバーの下カバーに排水溝を形成するようにしている。
【特許文献１】特開平５−７９５９６号公報
【特許文献２】特開平７−２８６７４２号公報
【特許文献３】特開２００３−２８６７４７公報
【発明の開示】
【発明が解決しようとする課題】
【０００４】
しかしながら、特許文献１のように、スリーブを下り勾配となるように建物壁に据え付ける手段では、スリーブを所定の傾斜角度に保持して建物壁の躯体に組み付けなければならず、その据え付けの管理が面倒で施工能率が低下してしまう。特許文献２ではシーリング材を充填するための凹部を建物壁の外壁部に形成しなければならないため、施工手数がかかり、施工能率が低下してしまう。また、特許文献３では、配管カバーの下カバーに排水溝を形成して下カバーの外周ブッシングと上カバーとの間の隙間に浸透した雨水をその排水溝を通して排出するようにしたものに過ぎず、建物壁のスリーブ内への雨水の浸透を防止することは困難である。
【０００５】
この発明はこのような点に着目してなされたもので、その目的とするところは、簡単な構造で建物壁のスリーブ内への雨水の浸透を確実に防止することができる配管カバー装置を提供することにある。
【課題を解決するための手段】
【０００６】
請求項１の発明は、建物壁の躯体を貫通する管体挿入用のスリーブと、このスリーブに対応して前記建物壁の外壁面に取り付けられ、前記スリーブに挿入されて前記建物壁の外壁面側に導出される管体を覆う配管カバーユニットとを備え、前記配管カバーユニットは前記スリーブ内に差込みが可能な挿入筒を一体的に有する下カバーと、この下カバーの上に脱着可能に装着される上カバーとで構成され、前記下カバーが前記建物壁の外壁面に取り付けられるとともに、前記挿入筒が前記スリーブ内に差込まれ、かつその挿入筒とスリーブとが重なる差込み代の部分が接着剤により互いに接着されることを特徴としている。
【０００７】
請求項２の発明は、前記下カバーの挿入筒の開口部に装着してその開口部を密閉することが可能なキャップを備え、このキャップを前記配管カバーユニットの内部に収納して保管することが可能となっていることを特徴としている。
【０００８】
請求項３の発明は、前記下カバーには、前記キャップの保管時にそのキャップを支持するためのフックが一体的に設けられていることを特徴としている。
【発明の効果】
【０００９】
この発明の配管カバー装置によれば、下カバーの背面側に挿入筒が一体に突出形成され、この挿入筒がスリーブの内側に差込まれ、さらにその挿入筒とスリーブとの差込み代の区間が接着剤で接着されており、このため簡単な構造で建物壁のスリーブ内への雨水の浸透を確実に防止することができる。さらに、請求項２、３の発明によれば、下カバーの挿入筒の開口部を密閉するためのキャップを紛失することなく適切に保管してその使用時にまごつくことなく前記開口部に装着することができる。
【発明を実施するための最良の形態】
【００１０】
以下、この発明の実施の形態について図面を参照して説明する。
【００１１】
図１には家屋の建物壁１を示してあり、この建物壁１はコンクリート躯体２の外面に化粧タイル３を貼り付け、内面にモルタル層４及び化粧層５を設けてなり、この建物壁１に水平に貫通孔７が形成され、この貫通孔７に円筒状のスリーブ８が打ち込まれている。スリーブ８は、例えば内径が７５ｍｍの塩化ビニール管からなり、躯体２の厚さの区間に渡って配置されている。
【００１２】
建物壁１の外壁面である化粧タイル３の外面には、貫通孔７に対応して配管カバーユニット１０が取り付けられている。この配管カバーユニット１０はそれぞれ合成樹脂で形成された下カバー１１と上カバー１２とで構成されている。
【００１３】
図２には下カバー１１の正面図を、図３には図２中のＡ−Ａ線に沿う下カバー１１の断面図を、図４には下カバー１１の側面図を示してある。この下カバー１１は、ベース部１４と、このベース部１４に形成された挿入口１５と、この挿入口１５の開口縁からベース部１４の背面側に突出した挿入筒１６とを有し、挿入筒１６はベース部１４と一体に形成されている。ベース部１４は平面形状がほぼ小判形をなし、このベース部１４の上部に挿入筒１６及びこの挿入筒１６の開口部である挿入口１５が形成されている。
【００１４】
ベース部１４の表面側周縁部には断面ほぼ三角状の突壁１８が一体に形成されている。この突壁１８はベース部１４の下端部を除くベース部１４の周縁に沿って連続するように形成され、この突壁１８の外側面に嵌合溝１９が突壁１８に沿って連続するように形成されている。
【００１５】
ベース部１４の挿入口１５の周縁部にはゴムなどの弾性体からなる止水用のリング２１が装着されている。そしてこの挿入口１５には、図５（Ａ）に示すように、必要に応じてキャップ２４を装着することが可能となっている。このキャップ２４は例えばねじ込みにより挿入口１５に取り付けることが可能で、そのねじ込みにより前記止水用のリング２１に圧着して挿入口１５を密閉することができるようになっている。
【００１６】
ベース部１４の下部には、前記キャップ２４を支持するためのＬ状をなす一対のフック２６が左右に並んで突設されている。そしてキャップ２４の不使用時には図５（Ｂ）に示すように、キャップ２４の周縁を一対のフック２６の内側に差し込んでベース部１４の下部に装着して支持することができるようになっている。また、ベース部１４の上端部及び下端部には止めねじ挿入用の透孔２７が形成されている。なお、図５（Ｃ）は下カバー１１の上に上カバー１２を装着した状態を示す。
【００１７】
上カバー１２は、平面形状が下カバー１１に対応するほぼ小判形をなし、図１に示すように下端を除く周縁には下カバー１１におけるベース部１４の突壁１８の外側面に嵌合可能な嵌合壁３０が形成され、この嵌合壁３０の内面に突壁１８の嵌合溝１９に嵌合可能な嵌合爪３１が一体に突出形成されている。
【００１８】
そして、上カバー１２を下カバー１１の上に重ね合わせて押し込むことにより、嵌合壁３０が突壁１８の外周に弾性的に嵌合するとともに嵌合爪３１が嵌合溝１９に弾性的に嵌合し、この嵌合で下カバー１１に対して上カバー１２が一体的に結合し、これら下カバー１１と上カバー１２との間に配管スペース３３が確保されるようになっている。
【００１９】
下カバー１１は建物壁１の外壁面に止めねじ３５を介して取り付けられ、この下カバー１１の挿入筒１６が建物壁１の貫通孔７を通してスリーブ８の内周に差し込まれている。そしてこの下カバー１１の上に上カバー１２が装着されている。
【００２０】
建物壁１の外壁面を構成する化粧タイル３の厚さは例えば２５ｍｍで、躯体２の厚さは２２０ｍｍとなっている。前記挿入筒１６はスリーブ８の内周面に密に差し込まれ、その差込み代Ｌが例えば３０ｍｍとなっている。そして前記挿入筒１６の外周面には予め接着剤が塗布され、その接着剤を介して前記差込み代Ｌの区間において挿入筒１６の外周面とスリーブ８の内周面とが接着されている。
【００２１】
一方、建物壁１の内面側つまり室内側においては、貫通孔７内にガイド筒４０が挿入されている。このガイド筒４０は筒体４１と、この筒体４１の一端部に形成されたフランジ部４２とからなり、筒体４１が貫通孔７を通してスリーブ８の内周に差込まれ、フランジ部４２が建物壁１の内面の化粧層５に押し当てられている。なお、このガイド筒４０の室内側開口部には図６に示す室内側キャップ４５を装着してその開口部を密閉することができるようになっている。
【００２２】
空気調和機の冷媒管などの管体ａを配管する際には、下カバー１１から上カバー１２及び室外側キャップ２４を取り外し、また室内側のガイド筒４０から室内側キャップ４５を取り外し、この状態において、室内側から管体ａをガイド筒４０の筒体４１、スリーブ８、下カバー１１の挿入筒１６を通して室外側に導出させる。この際、下カバー１１から取り外したキャップ２４は、図５（Ａ）に示すようにフック２６の内側に差込んで保管する。そして室外側に導出させた管体ａを下カバー１１に沿って下方に折り曲げ、下カバー１１の下方に引き延ばす。
【００２３】
この後、下カバー１１の上に上カバー１２を重ね合わせ、嵌合爪３１を嵌合溝１９に嵌合して下カバー１１に上カバー１２を取り付け、この上カバー１２で前記管体ａを覆う。また、管体ａの下カバー１１の下側に延びた部分には、配管カバー５０を取り付けて覆う。これにより管体ａの配管の施工が完了する。
【００２４】
降雨時には建物壁１の外壁面を伝わって雨水が流れ落ち、この雨水が下カバー１１と建物壁１外壁面との間に浸入することがある。しかしながら、下カバー１１の背面側に挿入筒１６が一体に突出形成され、この挿入筒１６がスリーブ８の内側に差込まれ、さらにその挿入筒１６とスリーブ８との差込み代Ｌの区間が接着剤で接着されており、このため雨水が下カバー１１と外壁面との間に浸入しても、その雨水は挿入筒１６の外周面側に伝わるだけで、挿入筒１６の外周からスリーブ８内に浸入するようなことがない。
【００２５】
このように、この発明の配管カバー装置によれば、簡単な構造で建物壁１のスリーブ８内への雨水の浸透を確実に防止することができる。
【００２６】
ところで、空気調和機の撤去などでスリーブ８内から管体ａを抜き取ったときには、図５（Ａ）に示すように、下カバー１１の挿入口１５にキャップ２４を装着して挿入口１５を密閉する。この際、キャップ２４は図５（Ｂ）に示すように、下カバー１１のフック２６に掛け止められて保管されており、このためキャップ２４が紛失するようなことがなく、その使用時にキャップ２４の所在がすぐわかり、まごつくことなくキャップ２４を挿入口１５に装着することができる。
【図面の簡単な説明】
【００２７】
【図１】この発明の一実施形態に係る配管カバー装置の断面図。
【図２】その配管カバー装置における配管カバーユニットの下カバーを示す正面図。
【図３】図２中のＡ−Ａ線に沿う断面図。
【図４】その下カバーの側面図。
【図５】（Ａ）は下カバーの挿入口にキャップを装着した状態を示す正面図、（Ｂ）はそのキャップを挿入口から取り外して下カバーのフックに掛け止めた状態を示す正面図、（Ｃ）は下カバーの上に上カバーを取り付けた状態を示す正面図。
【図６】室内側キャップを室内側のガイド筒に取り付けた状態を示す正面図。
【符号の説明】
【００２８】
１…建物壁
２…コンクリート躯体
３…化粧タイル
４…モルタル層
５…化粧層
７…貫通孔
８…スリーブ
１０…配管カバーユニット
１１…下カバー
１２…上カバー
１４…ベース部
１５…挿入口
１６…挿入筒
１８…突壁
１９…嵌合溝
２４…キャップ
２６…フック
３０…嵌合壁
３１…嵌合爪
【図１】
2008240834.tif 000003
【図２】
2008240834.tif 000004
【図３】
2008240834.tif 000005
【図４】
2008240834.tif 000006
【図５】
2008240834.tif 000007
【図６】
2008240834.tif 000008